(57)【要約】【課題】防水性能の高い筐体にして、アンテナを回転可能に保持できる構造にすることにより、組み立て作業を簡単にする。【解決手段】回路基板１を収納する密閉構造のケース２内に、アンテナ３を支持する固定支持部３２が設けられる。回路基板１に、アンテナ３に接触する接続部３０が設けられる。ケース２内にあるアンテナ３の内部アンテナケース２２に、アンテナエレメント２０を露出させるための切欠部２６が形成される。ケース２に形成された開口４から回路基板１が挿入されて収納されると、接続部３０が切欠部２６に嵌まり、アンテナエレメント２０に接触する。アンテナ３は、固定支持部３２と接続部３０とに挟み込まれて回転自在に保持される。アンテナエレメント２０は接続部３０を介して回路基板１に電気的に接続される。【選択図】図１
2013090028.tif 000002
【特許請求の範囲】
【請求項１】
回路基板を収納するケースと、ケースに取り付けられたアンテナとを備え、アンテナが回転する無線端末装置であって、アンテナを支持する複数の支持部が設けられ、支持部は、固定された固定支持部と、移動可能な移動支持部とを有し、回路基板がケースに収納されたときに移動支持部が移動してアンテナに接触することにより、アンテナが固定支持部と移動支持部とによって挟み込まれて回転可能に保持されることを特徴とする無線端末装置。
【請求項２】
アンテナは、アンテナエレメントおよびアンテナエレメントを収容するアンテナケースからなり、アンテナケースに、アンテナエレメントを露出させるための切欠部が形成され、支持部が切欠部に嵌め込まれ、アンテナの抜け出しが防止されることを特徴とする請求項１記載の無線端末装置。
【請求項３】
回路基板に、アンテナに接触する接続部が設けられ、接続部が移動支持部とされ、回路基板がケースに収納されたときに接続部がアンテナエレメントと電気的に接続されることを特徴とする請求項１または２記載の無線端末装置。
【請求項４】
アンテナの回転中心に対して、アンテナエレメントが偏心した位置に配置され、アンテナを回転させたときに、接続部がアンテナエレメントに接触することを特徴とする請求項３記載の無線端末装置。
【請求項５】
接続部のアンテナエレメントに対向する接触面が、アンテナエレメントに摺接するように凸状に形成されたことを特徴とする請求項３または４記載の無線端末装置。
【請求項６】
移動支持部が半田付けにより回路基板に取り付けられ、移動支持部に、アンテナから受ける力を分散あるいは吸収して、半田付け部分にかかる負荷を緩和するための緩和部が設けられたことを特徴とする請求項１〜５のいずれかに記載の無線端末装置。
【請求項７】
ケースに、アンテナの回転角度を規制する規制部が設けられたことを特徴とする請求項１〜６のいずれかに記載の無線端末装置。
【請求項８】
ケースは密閉構造とされ、ケースの下部に、回路基板を収納するための開口が形成されたことを特徴とする請求項１〜７のいずれかに記載の無線端末装置。
【請求項９】
アンテナはＬ形とされ、アンテナの基部がケース内に挿入され、アンテナの基部をなすアンテナケースが、円筒状に形成されて支持部に支持され、アンテナエレメントは、一部が露出するようにアンテナケースに覆われたことを特徴とする請求項１〜８のいずれかに記載の無線端末装置。
【発明の詳細な説明】
【技術分野】
【０００１】
本発明は、ガスメータ等の自動検針といったデータ通信に使用される無線端末装置に関する。
【背景技術】
【０００２】
無線通信を利用した自動検針に用いる無線端末装置では、特許文献１に記載のように、アンテナが筐体に内蔵されており、アンテナを簡単に固定できる構造になっている。十分なアンテナ利得を得るためには、波長に見合ったアンテナ長を確保する必要がある。加えてアンテナの角度を調節可能とする方が有利である。そのうえで、筐体を小型化するためには、アンテナを筐体から突出させた構造が適している。
【０００３】
図８は、アンテナを筐体から突出させた従来の無線端末装置を底面側からみた分解斜視図である。この無線端末装置は、回転機能を有するアンテナ１５０を備えている。このアンテナ１５０の基部１５１は、ケース１００の側面の孔からケース１００内に挿入される。基部１５１にねじ穴が形成され、基部１５１は、ケース１００内部のボス１０１にねじ穴を介してねじ（図示しない）で固定される。
【０００４】
回路基板１３０は、ケース１００内に収容され、底板１１０と共にケース１００内部のボスにねじ１４０で固定される。また、ケース１００には、回路基板１３０にはんだ付けされた接続端子やスイッチなどを覆うためのカバー１２０が取り付けられる。
【０００５】
アンテナ１５０の基部１５１には、アンテナストッパー１６０が装着されている。このアンテナストッパー１６０が、ケース側面の嵌合部１０５に嵌め込まれる。これにより、ケース１００に対して、アンテナ１０５を特定の回転角度で保持することができる。
【０００６】
アンテナ１５０と回路基板１３０との間にリード線１５５が掛け渡され、それぞれにリード線１５５がはんだ付けされる。これにより、アンテナ１５０と回路基板１３０とが電気的に接続される。
【０００７】
無線端末装置が屋外に設置される場合、雨水などに対する防水性能が要求される。アンテナ１５０とケース１００の間にパッキン（図示しない）が挟み込まれる。さらに防水性能を高めるために、ケース１００内部の全周に設けられた溝１０２に、ひも状のパッキン（図示しない）が敷設される。
【先行技術文献】
【特許文献】
【０００８】
【特許文献１】特開２００１−５３５１９号公報
【発明の概要】
【発明が解決しようとする課題】
【０００９】
従来の無線端末装置では、アンテナが取り付けられて回路基板を収納する筺体が、ケースと底板とカバーの組み合わせで構成される。雨水などに対する防水性能を高めるためには、ケース内部の全周に設けた溝に敷設するパッキンが必要となる。このように、部品点数が多く、組み立てに労力を要する。
【００１０】
また、回転機能を有するアンテナの構造は複雑になり、回転角度を保持するためのアンテナストッパーも必要となる。しかも、アンテナと回路基板を電気的に接続するためには、はんだ付け作業も必要となる。必然的に組み立て作業工数が多くなり、ひいては製造コストがアップするという問題がある。
【００１１】
そこで、本発明は、上記に鑑み、防水性能の高い筐体にして、アンテナを簡単に回転可能に保持できる構造にすることにより、部品点数、組み立て作業工数を少なくできる無線端末装置を提供することを目的とする。
【課題を解決するための手段】
【００１２】
本発明の無線端末装置は、回路基板を収納するケースと、ケースに取り付けられたアンテナとを備え、アンテナが回転するものである。そして、アンテナを支持する複数の支持部が設けられ、支持部は、固定された固定支持部と、移動可能な移動支持部とを有し、回路基板がケースに収納されたときに移動支持部が移動してアンテナに接触することにより、アンテナが固定支持部と移動支持部とによって挟み込まれて回転可能に保持される。
【００１３】
固定支持部は、ケースに固定されて設けられる。移動支持部は、ケースに移動自在に設けられ、収納される回路基板が移動支持部に当接すると、移動支持部は移動する。あるいは移動支持部は、回路基板に設けられ、収納するときに回路基板が移動することにより、移動支持部も移動する。回路基板をケース内に収納すると、回路基板の移動に伴って移動支持部が移動する。回路基板が所定位置に収納されると、移動支持部がアンテナに接触することにより、アンテナが固定支持部と移動支持部とにより挟まれる。
【００１４】
アンテナは、アンテナエレメントおよびアンテナエレメントを収容するアンテナケースからなり、アンテナケースに、アンテナエレメントを露出させるための切欠部が形成される。回路基板が収納されると、支持部が切欠部に嵌め込まれ、アンテナの抜け出しが防止される。移動支持部と固定支持部のうち、いずれか一方が切欠部に嵌め込まれる。
【００１５】
回路基板に、アンテナに接触する接続部が設けられ、接続部が移動支持部とされ、回路基板がケースに収納されたときに、接続部がアンテナエレメントと電気的に接続される。接続部がアンテナを支持する部材を兼用することになる。これにより、回路基板をケース内に収納することにより、アンテナを保持できるとともに、電気的な接続も行える。したがって、組み立て作業工数を削減できる。
【００１６】
アンテナの回転中心に対して、アンテナエレメントが偏心した位置に配置され、アンテナを回転させたときに、接続部がアンテナエレメントに接触する。回路基板を収納したときには、接続部はアンテナエレメントには接触していない。アンテナを回転させると、接続部はアンテナエレメントに接触する。したがって、アンテナ利得を得られる回転角度にアンテナを回転させると、アンテナを回路基板に電気的に接続することができる。
【００１７】
接続部のアンテナエレメントに対向する接触面が、アンテナエレメントに摺接するように凸状に形成される。アンテナが回転しても、接続部を確実にアンテナエレメントに接触した状態に維持できる。
【００１８】
移動支持部が半田付けにより回路基板に取り付けられ、移動支持部に、アンテナから受ける力を分散あるいは吸収して、半田付け部分にかかる負荷を緩和するための緩和部が設けられる。移動支持部によりアンテナを固定支持部に押し付けることになるので、移動支持部はアンテナから力を受ける。緩和部がこの力を緩和するので、半田付け部分に応力がかからず、クラック等の発生をなくせる。
【００１９】
ケースに、アンテナの回転角度を規制する規制部が設けられる。規制部により、アンテナの回転を規制することにより、アンテナを所定の回転角度に維持できる。さらに、アンテナが一定角度以上回転しないように制限できるとともに、逆方向に回転することを阻止できる。
【００２０】
ケースは密閉構造とされ、ケースの下部に、回路基板を収納するための開口が形成される。ケースは屋外に設置されるが、流れ落ちてくる水がケース内に浸入することを防止でき、防水性能が高い筺体を実現できる。
【００２１】
アンテナはＬ形とされ、アンテナの基部がケース内に挿入され、アンテナの基部をなすアンテナケースが、円筒状に形成されて支持部に支持され、アンテナエレメントは、一部が露出するようにアンテナケースに覆われる。このような構造のアンテナにおいて、ケース内のアンテナケースを固定支持部が支持するとともに、回路基板が収納されると、移動支持部がアンテナケースを直接支持する、あるいはアンテナエレメントを介してアンテナケースを支持する。これにより、回路基板を収納する作業により、アンテナの保持および電気的な接続も同時に行える。
【発明の効果】
【００２２】
本発明によると、回路基板をケース内に収納する作業により、アンテナを回転自在に保持できるとともに、アンテナの電気的な接続も行える。したがって、組み立て作業を大幅に簡略化できる。しかも、密閉構造のケースを用いることにより、パッキンが不要になり、部品点数を減らせる。
【図面の簡単な説明】
【００２３】
【図１】本発明のケースを一部破断した無線端末装置の分解斜視図
【図２】ケースを一部破断した無線端末装置の斜視図
【図３】アンテナを回転させたときのケースを一部破断した無線端末装置の斜視図
【図４】回路基板を収納したケースの断面図
【図５】他の形態のケースを一部破断した無線端末装置の斜視図
【図６】回路基板を収納したケースの断面図
【図７】アンテナを回転させたときのケースの断面図
【図８】従来の無線端末装置の分解斜視図
【発明を実施するための形態】
【００２４】
本実施形態の無線端末装置を図１〜４に示す。この無線端末装置は、自動検針システムにおける無線通信によるデータ通信に使用されるものであって、建物の壁などの屋外に設置され、ガスメータ等のメータやセンサなどの端末機器が接続される。無線端末装置は、無線通信用の回路基板１を収納するケース２と、ケース２に回転自在に取り付けられたアンテナ３とを備えている。
【００２５】
ケース２は、内部に空間を有する密閉構造とされる。ケース２の下部に、開口４が形成され、開口４を通じて回路基板１が出し入れされる。この開口４を塞ぐカバー５がケース２に着脱可能に設けられる。ケース２が密閉構造の上、開口４がケース２の下部にあるため、ケース２の外面を流れる水はカバー５を伝って流れ落ち、ケース２内部に水が浸入することはない。
【００２６】
回路基板１の下部には、ガスメータなどの端末機器を接続するための端子台６と無線端末装置の電源となる電池を収容する電池収容部７とが設けられる。回路基板１は、ケース２の開口４からケース２内に挿入され、所定位置に位置決めされて収納される。
【００２７】
ケース２内に、回路基板１を保持するための複数のリブ８が設けられる。リブ８は、ケース２内の上部に配される。リブ８の下部に、挿入された回路基板１を案内して位置決めする凹部９が形成される。凹部９は、回路基板１を所定位置に導く傾斜面を有する。収納された回路基板１が凹部９に嵌まることにより、回路基板１はケース２内の所定位置に位置決めされる。
【００２８】
端子台６に形成されたねじ孔にケース２の裏側からねじ１０を締めることにより、回路基板１はケース２に固定される。回路基板１が所定位置に固定されると、端子台６および電池収容部７は開口４に位置する。カバー５はケース２にねじ１１により取り付けられる。カバー５を外すと、端子台６および電池収容部７が露出する。
【００２９】
アンテナ３は、ケース２の側面から突出するように設けられ、アンテナ３の基部は、ケース２内において回転自在に支持され、アンテナ３は下向きから上向きの間で回転される。アンテナ３は、導電性のアンテナエレメント２０およびアンテナエレメント２０を収容するアンテナケース２１，２２からなり、Ｌ形に形成される。アンテナエレメント２０は、金属製のＬ形の線材からなる。
【００３０】
アンテナケース２１，２２は、複数のアンテナケースから構成される。ケース２から突出したアンテナ３の先端側では、２分割構造の外部アンテナケース２１が用いられる。ケース２内にあるアンテナ３の基部では、円筒状の内部アンテナケース２２が用いられる。これらのアンテナケース２１，２２は、接着や溶着などにより一体化される。
【００３１】
内部アンテナケース２２は、ケース２の側面に形成された挿入孔２３からケース２内に挿入される。内部アンテナケース２２にＯリング２４が装着され、挿入孔２３から雨水などがケース２内に浸入するのが防止される。内部アンテナケース２２の外周面に、複数の係止爪２５が形成される。係止爪２５は、片持ち梁構造とされる。係止爪２５がケース２の内周面に引っ掛かることにより、アンテナ３がケース２から抜け出さない。なお、アンテナ３を挿入孔２３から挿入するとき、係止爪２５がケース２に当たって撓むことにより、内部アンテナケース２２はケース２に挿入可能となる。
【００３２】
アンテナエレメント２０は、一部が露出するように内部アンテナケース２２に覆われる。内部アンテナケース２２に、アンテナエレメント２０を露出させるための切欠部２６が形成される。断面円形状のアンテナエレメント２０は内部アンテナケース２２の中心に位置し、内部アンテナケース２２の外周面が連結部２７を残して切り欠かれることにより、切欠部２６が形成される。連結部２７は、切欠部２６を挟んで左右の内部アンテナケース２２を一体的につなぐ。
【００３３】
内部アンテナケース２２から露出したアンテナエレメント２０は、回路基板１に電気的に接続される。回路基板１に、アンテナエレメント２０に接触する接続部３０が設けられる。接続部３０は、弾性変形可能な金属製の板状とされ、アンテナ３に対向する一端側がＵ字状に折り曲げられ、他端が回路基板１に半田付けにより取り付けられる。接続部３０の一端側のアンテナエレメント２０に対向する接触面に、アンテナエレメント２０に摺接するように凸部３１が形成される。この凸部３１により、接続部３０はアンテナエレメント２０に点接触することになり、アンテナエレメント２０の回転を妨げず、回転するアンテナエレメント２０に対して電気的な接続を確実に維持できる。
【００３４】
回路基板１がケース２内の所定位置に収納されると、接続部３０は、内部アンテナケース２２の切欠部２６に嵌め込まれ、接触面の凸部３１がアンテナエレメント２０に接触する。接続部３０が切欠部２６に嵌まることにより、アンテナ３の左右方向への移動が阻止され、アンテナ３のケース２からの抜け出しを防止することができる。
【００３５】
アンテナエレメント２０が接続部３０に接触しながら、アンテナ３は回転する。すなわち、内部アンテナケース２２は、ケース２に回転自在に支持される。内部アンテナケース２２を回転中心として、アンテナ３が回転する。ケース２の内部に、内部アンテナケース２２を支持する支持部が設けられる。複数の支持部により、アンテナ３は回転自在に保持される。支持部は、固定された固定支持部３２と、移動可能な移動支持部とを有する。
【００３６】
固定支持部３２は、ケース２に設けられる。ケース２の上部に位置するリブ８に、固定支持部３２が設けられる。固定支持部３２は、内部アンテナケース２２が嵌まるように半円の凹みを有する。固定支持部３２は、アンテナ３を挟んで接続部３０に対向して配置されるとともに、切欠部２６を挟んで左右両側に配置される。
【００３７】
回路基板１がケース２に収納されたときに、回路基板１は移動する。これに伴って移動してきた接続部３０がアンテナ３に接触し、アンテナ３は固定支持部３２と接続部３０とによって挟み込まれて回転自在に保持される。この移動可能な接続部３０が、移動支持部とされる。
【００３８】
固定支持部３２が内部アンテナケース２２を支持し、接続部３０がアンテナエレメント２０を押さえつける。アンテナ３が固定支持部３２と接続部３０とに挟まれることにより、アンテナ３は回転自在にケース２に保持され、かつアンテナエレメント２０が回路基板１に電気的に接続される。
【００３９】
上記の無線端末装置の組み立て手順を説明する。まず、作業者がアンテナ３の基部をケース２の挿入孔２３に挿入する。このとき、アンテナ３の先端は下向きとされる。内部アンテナケース２２がケース２内に挿入されると、内部アンテナケース２２が固定支持部３２に嵌る。この後、作業者は、回路基板１を開口４からケース２に挿入する。回路基板１がリブ８の凹部９に嵌まり込むと、回路基板１は所定位置に収納される。このとき、接続部３０が内部アンテナケース２２の切欠部２６に嵌まり込み、接続部３０の接触面がアンテナエレメント２０に接触する。回路基板１はケースにねじ止めされ、カバー５が開口４に被せられて、ケース２にねじ止めされる。
【００４０】
回路基板１が所定位置に収納されたときに接続部３０はアンテナエレメント２０を上方に向かって押し付け、固定支持部３２が内部アンテナケース２２を受け止めて支持することにより、アンテナ３の基部は複数の支持部に挟み込まれて回転自在に保持される。
【００４１】
ここで、接続部３０がアンテナエレメント２０に接触したとき、接続部３０の先端側にアンテナ３からの反力が生じる。接続部３０の先端側がＵ字状に折り曲げられていることにより、接続部３０の先端側においてこの反力が吸収され、接続部３０が傾くことが防止される。したがって、接続部３０の半田付け部分にかかる負荷が緩和され、半田付け部分にクラックが生じることを防げる。すなわち、接続部３０の先端側のＵ字の形状が、アンテナ３から受ける力を吸収して、半田付け部分にかかる負荷を緩和するための緩和部３５として機能する。
【００４２】
このように、アンテナ３がケース２に回転自在に取り付けられて、無線端末装置が組み立てられると、無線端末装置は屋外の任意の場所に設置される。無線端末装置に雨がかかっても、ケース２は密閉構造であるので、水がケース２内に浸入することはない。
【００４３】
無線端末装置では、アンテナ利得が得られるように、アンテナ３を回転して、回転角度を変える。アンテナ３を所定の回転角度に固定するために、アンテナ３の回転角度を規制する規制部が設けられる。
【００４４】
規制部は、ケース２の側面に設けられた複数の突起３６とされる。複数の突起３６が、アンテナ３の回転中心を中心とする円周上に一定の間隔で並んでいる。アンテナ３に、突起３６に係止される係止部３７が設けられる。平板状の係止部３７は、外部アンテナケース２１に半径方向に突出するように形成される。係止部３７の先端側に、突起３６が嵌まる嵌合孔３８が形成される。
【００４５】
アンテナ３は、図１に示す下向きの状態から図３に示す上向きの状態まで回転する。アンテナ３が回転して、嵌合孔３８に突起３６が嵌ると、アンテナ３の回転が規制される。すなわち、アンテナ３は固定され、その回転角度が保持される。
【００４６】
ここで、アンテナ３の回転角度を変える場合、係止部３７が突起３６を乗り越えるようにアンテナ３を回転させる。係止部３７のアンテナ３近傍に溝３９が形成され、係止部３７の一部が薄肉になることにより、係止部３７は撓みやすくなる。係止部３７が突起３６を乗り越えるとき、係止部３６が撓んで持ち上がる。係止部３７が次の突起３６に嵌るまでアンテナ３が回転し、回転角度を変えることができる。
【００４７】
また、アンテナ３が一定角度以上回転しないように、アンテナ３の回転を阻止するストッパ４０が設けられる。ストッパ４０は、ケース２の側面に設けられ、係止部３７がストッパ４０に当接することにより、アンテナ３が上向きになった後、それ以上の回転が妨げられる。また、アンテナ３が下向きにあるとき、逆向きに回転しても、係止部３７がストッパ４０に当たり、アンテナ３の逆回転が阻止される。
【００４８】
さらに、アンテナ３の回転が規制されるのに伴い、内部アンテナケース２２の連結部２７の回り込みも防止できる。アンテナ３が一定角度以上回転しないので、連結部２７が接続部３０に当たらない。そのため、連結部２７の衝突により接続部３０が大きく変形することを防止できる。
【００４９】
次に、アンテナエレメント２０と接続部５０との他の接続形態を図５〜７に示す。アンテナエレメント２０は、アンテナ３の回転に応じて接続部５０に対して接触あるいは離間する。その他の構成は、上記の実施形態と同じである。
【００５０】
接続部５０は、平板状に形成され、アンテナエレメント２０に対向する接触面に、アンテナエレメント２０に摺接する半球状の凸部５１が形成される。この接続部５０では、アンテナエレメント２０が接触したとき、接続部５０全体が撓む。接続部５０の半田付け部分に負荷がかかるので、アンテナ３からかかる力を分散させる緩和部が設けられる。
【００５１】
緩和部として、接続部５０の接触面とは反対側の面の基部に補助リブ５２が設けられる。補助リブ５２は、接続部５０の一部を折り曲げて形成される。接続部５０にアンテナ３から力がかかると、接続部５０の先端側が撓んで変形するが、基部では、補助リブ５２が力を受けて回路基板１に当接して、接続部５０の基部は変形しない。したがって、接続部５０の半田付け部分には、負荷がかからない。
【００５２】
アンテナエレメント２０は、アンテナ３の回転中心に対して偏心した位置に配される。連結部２７は、回転中心を挟んでアンテナエレメント２０とは反対側に位置する。一方、接続部５０は、アンテナ３よりも下側に位置する。アンテナエレメント２０は、アンテナ３の回転に応じて位置が変わる。アンテナエレメント２０は、アンテナ３が下向きのとき、回転中心よりも上側に位置し、アンテナエレメント２０と接続部５０とは離間している。アンテナ３が上向きのとき、回転中心よりも下側に位置する。アンテナエレメント２０は接続部５０に接触する。このように、接続部５０は、アンテナ３の回転角度に応じてアンテナエレメント２０に対して接触あるいは離間する。
【００５３】
アンテナ３は、下向きにしてケース２に取り付けられる。このとき、図６に示すように、接続部５０は、アンテナエレメント２０に接触しない。接続部５０は、内部アンテナケース２２の切欠部２６には嵌り込んでいるが、アンテナエレメント２０と接続部５０との間には連結部２７があり、接続部５０は連結部２７に接触する。アンテナ３は、回路基板１に電気的に接続されていない。
【００５４】
図７に示すように、アンテナ３を上向きに回転させると、アンテナエレメント２０が接続部５０に接触し、アンテナ３は回路基板１に電気的に接続される。通常、無線端末装置を屋外に設置したとき、アンテナ３を上向きにしたとき、アンテナ利得が得やすい。アンテナ３を上向きに回転させなければ、アンテナ３は回路基板１に電気的に接続されない。これにより、アンテナ３を確実にアンテナ利得を得やすい回転角度にすることができる。
【００５５】
なお、本発明は、上記実施形態に限定されるものではなく、本発明の範囲内で上記実施形態に多くの修正および変更を加え得ることは勿論である。上記では、接続部が移動支持部を兼用しているが、それぞれ別々に設けてもよい。回路基板に、接続部と移動支持部とをそれぞれ設ける。移動支持部は、内部アンテナケースの外周面に当接して、固定支持部とによりアンテナを挟み込んで回転自在に保持する。接続部は、アンテナエレメントに接触する。アンテナエレメントは、内部アンテナケースの基部側の端部から外部に突出する、あるいは内部アンテナケースの外周面上に配される。回路基板がケースに収納されたとき、接続部は、外部に露出しているアンテナエレメントに接触する。
【００５６】
移動支持部をケースに移動自在に設けてもよい。移動支持部は、回路基板に当接して移動する。回路基板がケースに挿入されると、移動支持部は、回路基板に押されて移動する。回路基板が所定位置に達すると、移動支持部は内部アンテナケースの外周面に当接して、固定支持部とによりアンテナを挟み込んで回転自在に保持する。回路基板に設けられた接続部は、上記と同様にアンテナエレメントに接触する。
【００５７】
また、固定支持部がアンテナに電気的に接続してもよい。固定支持部が内部アンテナケースの切欠部に嵌り、アンテナエレメントに接触する。移動支持部は、内部アンテナケースを押さえ込む。
【符号の説明】
【００５８】
１    回路基板
２    ケース
３    アンテナ
４    開口
５    カバー
２０    アンテナエレメント
２２    内部アンテナケース
２６    切欠部
３０    接続部
３１    凸部
３２    固定支持部
３５    緩和部
３６    突起
３７    係止部
４０    ストッパ
【図１】
2013090028.tif 000003
【図２】
2013090028.tif 000004
【図３】
2013090028.tif 000005
【図４】
2013090028.tif 000006
【図５】
2013090028.tif 000007
【図６】
2013090028.tif 000008
【図７】
2013090028.tif 000009
【図８】
2013090028.tif 000010